(57)【要約】      （修正有）【課題】微細・軽量の塵埃だけでなく小粒子状の塵埃でも確実に捕捉できる、掃除用シートを提供する。【解決手段】ベースシート１と払拭シート２とを、該払拭シート２の短辺幅Ｗを３つに区分する２本の細幅接着部３，３で接着して、前記払拭シート２の短辺方向中央部に位置する中央領域と前記払拭シート２の短辺方向各外側部に位置する外側領域２２，２２とを設け、前記払拭シート２の中央領域を、長辺方向において複数の矩形形状の小領域２１ａ，２１ａ・・に区画する。且つ該各小領域２１ａに、隣り合う小領域２１ａ，２１ａにおいて直交する方向となる多数のスリット２３，２３・・を形成するとともに、前記払拭シート２の各外側領域２２，２２を、それぞれ長辺方向に所定小間隔をもって短辺方向に切り込みを入れてなる多数の短冊状細片２４，２４・・に分割する。この事により、中央領域の各スリット２３部分でやや大きな塵埃を捕捉・保持し、外側領域２２の短冊状細片２４で微小塵埃を捕捉できるようになる。【選択図】図１
0003163677.tif 000002
【実用新案登録請求の範囲】
【請求項１】
掃除具（５０）のシート取付台（５１）の底面全面を被覆し得る面積を有するベースシート（１）の少なくとも片面に矩形形状の払拭シート（２）を重合させてなる掃除用シートであって、
前記ベースシート（１）と前記払拭シート（２）とを、該払拭シート（２）の短辺幅（Ｗ）を３つに区分する２本の細幅接着部（３），（３）で接着して、前記払拭シート（２）の短辺方向中央部に位置する所定幅（Ｗ1）の１つの中央領域（２１）と前記払拭シート（２）の短辺方向各外側部に位置する所定幅（Ｗ2）の２つの外側領域（２２），（２２）とを設け、
前記払拭シート（２）の中央領域（２１）を、長辺方向において複数の矩形形状の小領域（２１ａ），（２１ａ）・・に区画し且つ該各小領域（２１ａ）には、隣り合う小領域（２１ａ），（２１ａ）において直交する方向となる多数のスリット（２３），（２３）・・を形成するとともに、
前記払拭シート（２）の各外側領域（２２），（２２）を、それぞれ長辺方向に所定小間隔をもって短辺方向に切り込みを入れてなる多数の短冊状細片（２４），（２４）・・に分割した
ことを特徴とする掃除用シート。
【請求項２】
請求項１において、
前記複数の小領域（２１ａ），（２１ａ）・・のうち各払拭シート（２）の長辺方向の端に位置するものから長辺方向に並ぶものには、短辺方向に平行な多数のスリット（２３），（２３）・・および長辺方向に平行な多数のスリット（２３），（２３）・・が順次形成されている
ことを特徴とする掃除用シート。
【請求項３】
請求項１又は２において、
前記払拭シート（２）は、前記ベースシート（１）に対して複数枚重合されている
ことを特徴とする掃除用シート。
【請求項４】
請求項１から３のいずれか１項において
前記払拭シート（２）は、前記ベースシート（１）の表裏両面に設けられている
ことを特徴とする掃除用シート。
【考案の詳細な説明】
【技術分野】
【０００１】
本願考案は、手持ち式掃除具のシート取付台に取付けて使用する掃除用シートに関するものである。
【背景技術】
【０００２】
この種の掃除用シートは、主として床面の微小な塵埃をふき取るのに使用されるが、従来からシート面により多くの塵埃を捕捉するための各種の工夫が施されている。
【０００３】
例えば、特開平５−２５７６３号公報（特許文献１）や特開平５−５６９０２号公報（特許文献２）のようにシート払拭面に多数の凹凸加工（大凹凸部の中にさらに微小凹凸部がある）を施したもの、特開平１１−２７６４０１号公報（特許文献３）のように低密度で嵩高の不織布を使用したもの、特開２００１−３５３１１８号公報（特許文献４）のようにシート面に多数の開口を形成するとともに該開口部周囲に環状の突起を形成したもの、実用新案登録第３１５２２４４号公報（特許文献５）のようにシート払拭面の中央領域に多数のスリットを形成したもの、等がある。
【先行技術文献】
【特許文献】
【０００４】
【特許文献１】特開平５−２５７６３号公報
【特許文献２】特開平５−５６９０２号公報
【特許文献３】特開平１１−２７６４０１号公報
【特許文献４】特開２００１−３５３１１８号公報
【特許文献５】実用新案登録第３１５２２４４号公報
【考案の概要】
【考案が解決しようとする課題】
【０００５】
ところが、上記特許文献１及び２のものは、掃除用シートの払拭面に大小の凹凸加工を施しただけであるので、該払拭面の表面積は大きくなるものの、例えば重量がある小粒子状の塵埃に対しては捕捉機能が弱く、しかも一度シート払拭面に塵埃を付着させても、該塵埃が脱落し易いという問題がある。
【０００６】
又、上記特許文献３のように、低密度で嵩高の不織布を使用したものでは、繊維間に微細な空間が多くなるので、微小なゴミやホコリ（主として粉末状塵埃）は比較的多量に捕捉し得るものの、微小なものであっても比較的面積（又は体積）のある塵埃（例えば、小粒子状塵埃）は捕捉しにくいという問題がある。
【０００７】
さらに、上記特許文献４のもの（開口部周囲を環状突起にしたもの）では、環状突起内に塵埃の捕捉空間が形成されるので、一旦捕捉空間内に入った塵埃は脱落しにくいものの、環状突起内の捕捉空間に塵埃を侵入させにくく（塵埃捕捉機能ず劣る）、しかもシート払拭面を床面に押し付けると環状突起が簡単にへたってしまい（塵埃捕捉空間が閉じてしまい）、捕捉空間への塵埃捕捉機能が早期になくなってしまうという問題である。
【０００８】
さらにまた、上記特許文献５のように、シート払拭面の中央領域に多数のスリットを形成したものの場合、スリットによって、払拭シートとベースシートとの間に塵埃侵入用の開口部を形成することとなっており、該開口部から払拭シートとベースシートとの間のポケット内に塵埃を侵入・保持し得ることとなっているが、スリットの形成方向が全て同一方向となっているため、シート払拭面を同一方向に動かす場合には、塵埃の捕捉効果は非常に優れたものとなるものの、実際に床面の掃除を行う際には、シート払拭面を同一方向に動かすことはなく、どのような方向に動かすかは使用者によって異なる場合が多い。従って、シート払拭面の動かし方によっては、塵埃の捕捉効果が半減する場合が生ずるおそれがある。
【０００９】
本願考案は、上記した公知の掃除用シートの問題点を改善することを目的としてなされたもので、ホコリや毛髪のような微細・軽量の塵埃は当然ながら比較的大きな小粒子状の塵埃でも確実に捕捉でき、且つ一旦捕捉した塵埃が脱落しにくく、払拭面を動かす方向にかかわらず、塵埃の捕捉効果が低減することのない掃除用シートを提供することを目的としている。
【課題を解決するための手段】
【００１０】
本願考案は、上記課題を解決するための手段として次の構成を有している。
【００１１】
本願考案は、手持ち式掃除具のシート取付台の底面（矩形板状）に取り付けて使用する掃除用シートを対象としている。なお、以下に示す各数値は、本願の掃除用シートを理解し易くするためのもので、特に限定するものではない。
【００１２】
この種の手持ち式掃除具のシート取付台の底面（矩形板状）の大きさは、一般に長辺長さが２５〜３０ｃｍ程度で短辺長さが１０〜１５ｃｍ程度の範囲のものが多いが、以下の説明では、シート取付台の底面の大きさを、便宜的に長辺長さが３０ｃｍ、短辺長さが１５ｃｍとしたもので説明する。なお、以下の説明では、掃除具のシート取付台において、長辺方向を左右といい、短辺方向を前後ということがある。
【００１３】
本願考案の掃除用シートは、掃除具のシート取付台の底面全面を被覆し得る面積を有したベースシートの少なくとも片面に矩形の払拭シートを重合させたものである。
【００１４】
ベースシートの材料には、一般に不織布（例えば、流動パラフィンを塗布（あるいは含浸）させないＰＰエアスルー）が多用されるが、本願では、ベースシートの材料として合成樹脂フィルムを使用してもよい。このベースシートの大きさは、適用される掃除具のシート取付台の長辺長さ（左右長さ）とほぼ同じ左右長さ（例えば、３０ｃｍ）で該シート取付台の短辺長さ（前後長さ）よりかなり長い前後長さ（例えば、２０ｃｍ）を有している。即ち、該ベースシートは、シート取付台の底面の面積に加えて、シート取付台の前後各側縁の上面を包み込む延出部をそれぞれ一体に形成したものである。
【００１５】
払拭シートの材料としては、シート表面に塵埃を効率よく捕捉し得るものが採用されるが、特に不織布が好適である。なお、表層側（即ち、床面と接触する側）の払拭シートとして用いるものとしては、流動パラフィンを塗布（あるいは含浸）させた不織布（例えば、ＰＥＴスパンレース）が好適である。このようにすると、払拭シートに塗布（あるいは含浸）させる流動パラフィンの塗布量（含浸量）を多くできるところから、より細かなホコリ、塵埃を捕捉することができるようになる。ところで、不織布は、極細繊維が絡まったものであるから、その表面に微小な塵埃を捕捉し易いものである。この払拭シートの大きさは、適用される掃除具のシート取付台の底面の大きさとほぼ同等か、あるいは長辺長さがシート取付台と同じ（例えば、３０ｃｍ）で短辺長さがシート取付台よりやや短かい（例えば、１３ｃｍ）程度とされ、矩形形状のものとされる。
【００１６】
ベースシートと払拭シートとは、払拭シートの短辺幅を３つに区分する２本の細幅接着部で接着されており、払拭シートの短辺方向中央部に所定幅の１つの中央領域と払拭シートの短辺方向各外側部に所定幅の２つの外側領域とが設けられている。２本の細幅接着部は、払拭シートがベースシートに対して不用意に剥がれないようにするためのものであり、その接着方法としては、熱又は高周波による接着や接着剤による接着等が採用される。
【００１７】
２本の細幅接着部は、払拭シートの長辺方向（左右方向）に向けて平行に接着されている。又、この２本の細幅接着部間の間隔（中央領域となる）は、例えば６〜７ｃｍ程度が適当であり、その場合、払拭シートの各外側領域がそれぞれ３〜３．５ｃｍとなる。なお、払拭シートにおける各細幅接着部以外の部分（中央領域及び外側領域）は、ベースシートに対して非接着状態となっている。
【００１８】
払拭シートの中央領域は、長辺方向（左右方向）において複数の矩形形状の小領域に区画されており、該小領域には、隣り合う小領域において直交する方向となる多数のスリットがそれぞれ形成されている。例えば、前記複数の小領域のうち払拭シートの長辺方向（左右方向）の端に位置するものから長辺方向に並ぶものには、短辺方向（前後方向）に平行な多数のスリットおよび長辺方向（左右方向）に平行な多数のスリットが順次形成されている。前記各スリットは、払拭シートとベースシートとの間に塵埃侵入用の開口部を形成するためのものであり、該各スリットの切り込み端縁が開く（撓む）ことによって、その開口部から塵埃を払拭シートとベースシートとの間のポケット内に侵入・保持させ得るようになっている。しかも、上記したように、隣り合う小領域において直交する方向となる多数のスリットを形成したことにより、払拭シートを動かす方向にかかわらず、塵埃の捕捉効果が低減することがなくなる。
【００１９】
他方、払拭シートの各外側領域は、それぞれ長辺方向に所定間隔（例えば、２〜３ｍｍ間隔）をもって短辺方向（前後方向）に切り込み（切り込み深さが２．５〜３ｃｍ程度）を入れてなる多数の短冊状細片に分割されている。この短冊状細片は、それぞれ単独で撓むことができるようになっている。従って、各短冊状細片からなる払拭シートの各外側領域は、塵埃を接触させ得る（捕捉し得る）表面積が極めて大きくなっている。
【００２０】
また、本願の掃除用シートでは、上記構成の払拭シートをベースシートに対して複数枚（例えば、２〜５枚）重合させたものを採用できる。この場合、表層側（即ち、床面と接触する側）の払拭シートとして用いるものとしては、流動パラフィンを塗布（あるいは含浸）させた不織布（例えば、ＰＥＴスパンレース）が用いられ、その他の払拭シートとしては、流動パラフィンを塗布（あるいは含浸）させた不織布（例えば、ＰＰエアスルー）が用いられる。表層側（即ち、床面と接触する側）の払拭シートとしては、ＰＥＴスパンレース以外にも、ＰＥ、コットン、ナイロン等を用いる場合もある。このように、払拭シートを複数枚重合させたものでは、各払拭シートの外側領域にある短冊状細片の数が多くなり、塵埃を接触させ得る表面積が一層大きくなる。
【００２１】
また、本願の掃除用シートでは、払拭シートをベースシートの表裏両面に設けることができる。この場合、表裏各側の払拭シートは、それぞれ１枚ずつでもよいし、それぞれ複数枚ずつでもよい。このように、払拭シートをベースシートの表裏両面に設けたものでは、片面の払拭シートが汚れた後、裏返してシート取付台に装着し直すことで、１枚の掃除用シートを２回使用できる。
【００２２】
また、本願の掃除用シートでは、払拭シートの中央領域における複数の小領域に形成している多数のスリットの形状として、直線状のものが採用されている。該スリットは、１本当たり所定長さ（例えば、２〜５ｃｍ）のものを所定小間隔（例えば、１〜１．５ｃｍ間隔）をもって小領域の全面に散在させるとよい。その場合、前述したように、隣り合う小領域におけるスリットは互いに直交する方向に向けて形成されている。このようにすると、払拭シートを動かす方向にかかわらず、塵埃の捕捉効果が低減することがなくなる。
【００２３】
本願の掃除用シートは、払拭シートが下面側に現れる状態で、掃除具のシート取付台の底面を被覆するようにして取り付ける。このとき、ベースシートの前後各延出部をシート取付台の前後上面に折り返して、その折返し片の一部をシート取付台の上面に係止させておく。このように、掃除用シートの取付状態では、シート取付台の下面側に払拭シートが露出している。
【００２４】
そして、掃除具の柄を持って掃除用シートの底面で床面上を払拭すると、払拭シートの下面側に床面上の塵埃を付着させることができる。そのとき、払拭シートの各中央領域においては、多数の短冊状細片が床面に接触することで該各短冊状細片がそれぞれランダム方向に撓んでバラバラになり、各短冊状細片による塵埃接触表面積が大きくなって該各短冊状細片に多量の微小塵埃（特に、ホコリのような粉末状塵埃）を付着させることができる。また、払拭シートの中央領域においては、該中央領域の下面に微小塵埃を付着させ得るとともに、中央領域における複数の小領域に形成されたスリットが表裏方向に撓んで該各スリットが開口し、そのスリットの開口部から払拭シートとベースシートとの間のポケット内に塵埃（比較的大きな小粒子状塵埃）を侵入させることができる。このように、スリットの開口部から上記ポケット内に侵入した塵埃は、払拭シートとベースシートとの間に挟まれているので、振動や衝撃があっても容易に脱落しない。しかも、隣り合う小領域におけるスリットは互いに直交する方向に向けて形成されているため、払拭シートを動かす方向にかかわらず、塵埃の捕捉効果が低減することがなくなる。
【考案の効果】
【００２５】
本願考案の掃除用シートには、次のような効果がある。
【００２６】
（１）  ベースシートに重合させた払拭シートの中央領域における複数の小領域に、隣り合う小領域におけるスリットが互いに直交する方向となるように多数のスリットをそれぞれ形成しているので、使用時に塵埃を各スリットの開口部から払拭シートとベースシートとの間のポケット部分に侵入させることができ、微小範囲の中で比較的大きな塵埃（小粒子状塵埃）であっても確実に捕捉（保持）できる。しかも、隣り合う小領域におけるスリットは互いに直交する方向に向けて形成されているため、払拭シートを動かす方向にかかわらず、塵埃の捕捉効果が低減することがなくなる。
【００２７】
（２）  払拭シートにおける両外側領域をそれぞれ短冊状細片に分割しているので、各短冊状細片により塵埃付着面積を増大させることができる。従って、払拭シートの両外側領域においては、各短冊状細片による塵埃（ホコリのような粉末状塵埃のほかに毛髪のような軽量繊維を含む）の捕捉能力を増大させることができる。
【００２８】
（３）  払拭シートの中央領域部分（多数のスリットがある小領域）において微小範囲の中でも比較的大きな塵埃（小粒子状塵埃）を捕捉できる一方、払拭シートの両外側領域（多数の短冊状細片に分割されている）において多量の微小塵埃（ホコリのような粉末状塵埃のほかに毛髪のような軽量繊維を含む）を捕捉できるので、単一の掃除用シートであっても大小の各塵埃を同時に捕捉できる。
【００２９】
（４）  払拭シートをベースシートに対して複数枚重合させたものでは、各払拭シートのそれぞれ両外側領域にある短冊状細片の数がさらに多くなり、塵埃捕捉能力が一層良好になる。
【００３０】
（５）  払拭シートをベースシートの表裏両面に設けたものでは、片面が汚れても裏返して再利用でき、１枚の掃除用シートを２回使用できる。
【図面の簡単な説明】
【００３１】
【図１】本願の第１実施例の掃除用シートと掃除具の斜視図である。
【図２】図１の掃除用シートの一部を拡大した斜視図である。
【図３】図１の掃除用シートの平面図である。
【図４】図１のＩＶ−ＩＶ断面図である。
【図５】図１の掃除用シート付き掃除具の使用状態を示す断面図である。
【図６】本願の第２実施例の掃除用シートの図４相当図である。
【考案を実施するための形態】
【実施例】
【００３２】
図１〜図６を参照して、本願実施例の掃除用シートを説明する。図１〜図５には、本願の第１実施例を示し、図６には、本願の第２実施例を示している。
【００３３】
なお、本願各実施例の掃除用シートの構成は、上記した「課題を解決するための手段」の項で説明したものと多々重複するが、再度以下に説明する。また、以下に示す各数値は、本願の掃除用シートを理解し易くするためのもので、要旨を変更しない範囲で適宜に変更できるものである。
【００３４】
本願各実施例の掃除用シートＳは、図１および図５に示すように、手持ち式の掃除具５０のシート取付台５１に取り付けて使用するものである。この実施例で使用する掃除具５０（図１および図５）は、矩形板状のシート取付台５１の上面中央部に柄５２を前後・左右に傾動自在に取り付けて構成されている。また、シート取付台５１の上面には、シート片の一部を係止するためのスリット状の係止部５３（４箇所）が形成されている。
【００３５】
シート取付台５１の大きさは、一般に長辺長さが２５〜３０ｃｍ程度で短辺長さが１０〜１５ｃｍ程度の範囲の面積で、厚さが２ｃｍ程度のものが多い。そして、以下の説明では、シート取付台５１の底面の大きさを長辺長さＬが３０ｃｍで短辺長さＭが１５ｃｍとしたもので説明する。なお、以下の説明では、掃除具のシート取付台において、長辺方向を左右といい、短辺方向を前後ということがある。
【００３６】
図１〜図５に示す第１実施例の掃除用シートは、掃除具５０のシート取付台５１の底面全面を被覆し得る面積を有したベースシート１の表裏両面にそれぞれ１枚ずつの払拭シート２，２を重合させたものである。なお、他の実施例では、払拭シート２はベースシート１の片面のみに重合させたものでもよい。
【００３７】
ベースシート１の材料としては、流動パラフィンを塗布（あるいは含浸）させていない不織布（ＰＰエアスルー）が採用されといる。一方、払拭シート２，２の材料としては、流動パラフィンを塗布（あるいは含浸）させた不織布（例えば、ＰＥＴスパンレース）が好適である。このようにすると、払拭シート２，２に塗布（あるいは含浸）させる流動パラフィンの塗布量（含浸量）を多くできるところから、より細かなホコリ、塵埃を捕捉することができるようになる。不織布は、極細繊維が絡まったものであるから、その表面に微小な塵埃を捕捉し易いものである。また、ベースシート１および払拭シート２，２の厚さは、１〜２ｍｍ程度のものが適当である。なお、ベースシート１は、直接床面に接触させる必要がない（塵埃捕捉機能が必要でない）ので、他の実施例では該ベースシート１として不織布に代えて合成樹脂フィルムを使用してもよい。
【００３８】
ベースシート１の大きさは、図１および図３に示すように、適用される掃除具のシート取付台５１の長辺長さ（左右長さ）Ｌとほぼ同じ長さＬ（例えば、３０ｃｍ）で該シート取付台５１の短辺長さ（前後長さ）Ｍよりかなり長い前後長さＭ1（例えば、２６ｃｍ）の面積を有している。即ち、該ベースシート１は、シート取付台５１の底面の面積に加えて、シート取付台５１の前後各側縁の上面を包み込む延出部１１，１１をそれぞれ一体に形成したものである。
【００３９】
ベースシート１の前後延出部１１，１１は、図４に鎖線図示（符号１１′）するように上側に折り返して、図５に示すように、シート取付台５１の前後各側縁部上面を包み込むためのものである。そして、各延出部１１，１１でシート取付台５１の前後各側縁部上面を包み込み、該延出部１１，１１の一部（各２箇所）をシート取付台５１の上面の各係止部５３，５３に係入させることで、掃除用シートＳをシート取付台５１に取り付け得るようになっている。
【００４０】
各払拭シート２，２の大きさは、適用される掃除具のシート取付台５１の長辺長さＬと同じ（例えば、３０ｃｍ）長辺長さで短辺長さＷがシート取付台５１の短辺長さＭ（１５ｃｍ）よりやや短かい（例えば、１３ｃｍ）程度のものである。
【００４１】
ベースシート１と各払拭シート２，２とは、該各払拭シート２，２をそれぞれベースシート１の表面各側における前後長さＭ1の中央部に重合させた状態で、各払拭シート２，２の短辺幅Ｗを３つに区分する２本の細幅接着部３，３で接着して、各払拭シート２，２の短辺方向中央部に所定幅Ｗ1の１つの中央領域２１と各払拭シート２，２の短辺方向各外側部にそれぞれ所定幅Ｗ2の２つの外側領域２２，２２を設けている。２本の細幅接着部３，３は、各払拭シート２，２がベースシート１に対して不用意に剥がれないようにするためのものであるが、この実施例では、ベースシート１および各払拭シート２，２が不織布（ベースシート１は合成樹脂フィルムの場合もある）であるので、各細幅接着部３，３を熱又は高周波によって接着させている。なお、各細幅接着部（熱接着部）３，３の各幅Ｎは、２〜４ｍｍ程度が適当である。
【００４２】
この２本の細幅接着部３，３は、各払拭シート２，２の長辺方向（左右方向）に向けて平行に接着されている。また、この２本の細幅接着部３，３間の間隔Ｗ1（中央領域２１となる）は、例えば、６〜７ｃｍ程度が適当であり、その場合、各払拭シート２，２の各外側領域２２，２２の各幅Ｗ2，Ｗ2がそれぞれ３〜３．５ｃｍとなる。なお、各払拭シート２，２における各細幅接着部３，３以外の部分（中央領域２１および各外側領域２２，２２）は、ベースシート１に対して非接着状態となっている。
【００４３】
表裏各払拭シート２の各中央領域２１は、長辺方向（左右方向）において複数の矩形形状の小領域２１ａ，２１ａ・・に区画されており、該各小領域２１ａには、隣り合う小領域２１ａ，２１ａにおいて直交する方向となる多数のスリット２３，２３・・がそれぞれ形成されている。例えば、前記複数の小領域２１ａ，２１ａ・・のうち各払拭シート２の長辺方向（左右方向）の端に位置するものから長辺方向に並ぶものには、短辺方向（前後方向）に平行な多数のスリット２３，２３・・および長辺方向（左右方向）に平行な多数のスリット２３，２３・・が順次形成されている。この各スリット２３，２３・・は、図１〜図５の第１実施例では、各小領域２１ａにおいて、短辺方向に平行なものでは所定間隔（例えば、１〜１．５ｃｍ間隔）をもって複数列状態（図示例では８列あるいは１０列状態）で、長辺方向に平行なものでは所定間隔（例えば、１〜１．５ｃｍ間隔）をもって複数列状態（図示例では１１列状態）で形成されている。
【００４４】
この各スリット２３，２３・・は、中央領域２１における払拭シート２，２とベースシート１との間に塵埃侵入用の開口部を形成するためのものであって、使用時（床面払拭時）において各スリット２３の切り込み端縁が図２および図４に鎖線図示（符号２３′）するように開く（撓む）ことによって、図５に示すように、その開口部からかなりの大きさ（例えば、直径が２〜３ｍｍ程度の小粒子状）の塵埃Ｐ2を払拭シート２とベースシート１との間（ポケット）に侵入・保持させ得るようになっている。しかも、本実施例の場合、隣り合う小領域２１ａ，２１ａにおけるスリット２３，２３・・が互いに直交する方向に向けて形成されているため、払拭シート２を動かす方向にかかわらず、塵埃の捕捉効果が低減することがなくなる。
【００４５】
他方、各払拭シート２，２の各外側領域２２，２２は、それぞれ長辺方向に所定間隔（例えば、２〜３ｍｍ間隔）をもって短辺方向に切り込み（切り込み深さが２．５〜３ｃｍ程度）を入れてなる多数の短冊状細片２４，２４・・に分割されている。この短冊状細片２４，２４・・は、図２および図５に鎖線図示（符号２４′）するように、それぞれ単独で撓むことができるようになっている。従って、各短冊状細片２４，２４・・からなる各払拭シート２，２の各外側領域２２，２２は、各短冊状細片２４，２４・・がそれぞれバラバラになることにより、床面上の微小塵埃を接触させ得る（捕捉し得る）表面積が極めて大きくなっている。
【００４６】
第１実施例の掃除用シートＳは、図５に示すように、払拭シート２をシート取付台５１の底面にあてがった状態でベースシート１の前後各延出部１１，１１でシート取付台５１の前後各側縁部を包み込むようにして取り付けられる。このとき、ベースシートの下面側の払拭シート２は下方に露出しているが、ベースシート１の上面側の払拭シート２はシート取付台５１の下面とベースシート１の上面との間に扁平状態で挟まれている。
【００４７】
そして、この掃除用シート付きの掃除具５０を使用するには、掃除用シートＳの下面を払拭すべき床面に接触させた状態で、柄５２を持って左右に押し操作（前進）又は引き操作（後退）することで下面側払拭シート２により床面上を払拭する。
【００４８】
すると、払拭シート２の前後両外側領域２２，２２においては、各短冊状細片２４，２４・・がバラバラになった状態で床面に接触するので、各外側領域２２，２２（各短冊状細片２４，２４・・）の表面積が極めて大きくなっており、各短冊状細片２４，２４・・のそれぞれ表面に床面の微小塵埃を多量に付着させることができる（塵埃捕捉量を多くできる）。また、そのとき、各短冊状細片２４，２４・・は、不織布製（微細繊維が絡まったもの）であるので、ホコリのような微小塵埃Ｐ1や毛髪等の軽量繊維Ｐ3は、各外側領域２２，２２において各短冊状細片２４，２４・・の表面（微細繊維）に絡まった状態で保持されるようになり、その捕捉力はかなり強いものとなる（脱落しにくい）。
【００４９】
他方、払拭シート２の中央領域２１においては、該中央領域２１も床面に対して前後あるいは左右に摺動するので、中央領域２１における小領域２１ａ，２１ａ・・に形成された互いに直交するスリット２３，２３・・の切り込み端縁が撓んで開口するようになる。特に、この第１実施例のように、複数の小領域２１ａ，２１ａ・・のうち各払拭シート２の長辺方向（左右方向）の端に位置するものから長辺方向に並ぶものに、短辺方向（前後方向）に平行な多数のスリット２３，２３・・および長辺方向（左右方向）に平行な多数のスリット２３，２３・・を順次形成しているので、払拭作業時には掃除用シート付きのシート取付台５１を、前後あるいは左右方向に移動させたとしても、各スリット２３，２３・・の選ばれたものが、シート取付台移動方向と直交方向に向き、各スリット２３，２３・・の選ばれたものの切り込み端縁が撓んで開口し易くなる。そして、選ばれた各スリット２３，２３・・が開口すると、その開口部から微小範囲の中で比較的大きな塵埃Ｐ2（例えば、直径が２〜３ｍｍ程度の小粒子状塵埃）が侵入し、該塵埃Ｐ2が払拭シート２とベースシート１との間（ポケット）に挟まれた状態で保持される。このように、選ばれた各スリット２３，２３・・の間に侵入・保持された塵埃Ｐ2は、付着しにくい性状のものであったり、比較的大きいものであったり、さらに振動や衝撃があっても脱落することがなく、塵埃捕捉状態が確実となる。しかも、隣り合う小領域２１ａ，２１ａにおけるスリット２３，２３・・は互いに直交する方向に向けて形成されているため、払拭シート２を動かす方向にかかわらず、塵埃の捕捉効果が低減することがなくなる。
【００５０】
このように、第１実施例の掃除用シートＳでは、単一のもので、払拭シート２の両外側領域２２，２２（各短冊状細片２４）による微小な塵埃Ｐ1，Ｐ3を多量に捕捉できるとともに、払拭シート２の中央領域２１（選ばれた各スリット２３，２３・・）による比較的大きい塵埃Ｐ2も同時に捕捉できる。
【００５１】
また、この第１実施例の掃除用シートＳでは、片面が使用により汚れると、該掃除用シートＳをシート取付台５１から一旦取外し、裏返して再度シート取付台５１に取り付けると、新しい払拭シート２が現れる。従って、１枚の掃除用シートＳを２回使用できる。
【００５２】
図６に示す第２実施例の掃除用シートＳは、１枚のベースシート１の表裏各面にそれぞれ３枚ずつの払拭シート２ａ，２ｂ，２ｃを重合させて、それらの合計７枚のシートの２箇所を細幅接着部３，３で接着させている。なお、図６は上記第１実施例の図４相当図である。
【００５３】
この第２実施例（図６図示）の掃除用シートＳでも、各細幅接着部３，３は、上記第１実施例（図４図示）と同様に払拭シート２の短辺幅を３つに区分する位置においてそれぞれ合計７枚のシートをまとめて熱接着させている。
【００５４】
また、この第２実施例の掃除用シートＳに使用されている各払拭シート（６枚）２ａ，２ｂ，２ｃも、第１実施例のものと同様に短辺方向中央部に所定幅（図４のＷ1）の中央領域２１と、短辺方向各外側部にそれぞれ所定幅（図４のＷ2）の外側領域２２，２２を設けている。そして、各中央領域２１は、長辺方向（左右方向）において複数の矩形形状の小領域２１ａ，２１ａ・・に区画されており、該各小領域２１ａには、隣り合う小領域２１ａ，２１ａにおいて直交する方向となる多数のスリット２３，２３・・がそれぞれ形成されている。例えば、前記複数の小領域２１ａ，２１ａ・・のうち各払拭シート２の長辺方向（左右方向）の端に位置するものから長辺方向に並ぶものには、短辺方向（前後方向）に平行な多数のスリット２３，２３・・および長辺方向（左右方向）に平行な多数のスリット２３，２３・・が順次形成されている。また、各外側領域２２には、長辺方向に所定小間隔をもって多数の短冊状細片２４，２４・・が形成されている。なお、この第２実施例の掃除用シートＳに使用されている各払拭シート２ａ，２ｂ，２ｃ（合計６枚）は、それぞれ上記第１実施例の掃除用シートの払拭シートと同じものとされている。また、図６の第２実施例におけるその他の構成は、上記第１実施例のものと同様である。
【００５５】
ここで、ベースシート１および払拭シート２ａ，２ｂ，２ｃの材質については、下記表１に示す通りである。
【００５６】
【表１】
0003163677.tif 000003
【００５７】
上記したように、払拭シート２ａ，２ｂ，２ｃのうち表層側（即ち、床面と接触する側）に位置する払拭シート２ｃとその他の払拭シート２ａ，２ｂとの材質を変えることで、次のような作用効果を期待することができる。
【００５８】
即ち、表層側（即ち、床面と接触する側）の払拭シート２ｃに用いられる不織布とその他の払拭シート２ａ，２ｂに用いられる不織布とを異ならしめたことにより、表層側の払拭シート２ｃに塗布（あるいは含浸）させる流動パラフィンの塗布量（含浸量）を多くできるところから、より細かなホコリ、塵埃を捕捉することができるようになる。
【００５９】
なお、図６の第２実施例では、払拭シート２をベースシート１の表裏両面に３枚ずつ使用しているが、この各面の払拭シート２の枚数は、それぞれ２〜５枚程度の範囲で適宜に設定できる。また、他の実施例では、ベースシート１の片面側にのみ複数枚の払拭シート２を重合させたものとすることもできる。
【００６０】
この第２実施例の掃除用シートＳでは、ベースシート１の表裏両面にそれぞれ複数枚（図６の例では３枚ずつ）の払拭シート２，２・・を重合させているので、各払拭シート２，２・・のそれぞれ外側領域２２，２２にある各短冊状細片２４，２４・・の数が多くなり、塵埃を接触させ得る表面積が一層大きくなって塵埃捕捉機能が一層向上する。
【００６１】
なお、図６の第２実施例の掃除用シートＳでも、ベースシート１の表裏両面にそれぞれ複数枚（３枚）ずつの払拭シート２，２，２を重合させているので、掃除用シートＳの片面が汚れると、該掃除用シートＳを裏返してシート取付台５１に装着し直すことで２回使用できる。
【符号の説明】
【００６２】
１はベースシート
２，２ａ，２ｂ，２ｃは払拭シート
３は細幅接着部
２１は中央領域
２１ａは小領域
２２は外側領域
２３はスリット
２４は短冊状細片
５０は掃除具
５１はシート取付台
Ｓは掃除用シート
Ｗは短辺幅
Ｗ1は中央領域２１の幅
Ｗ2は外側領域２２の幅
【図１】
0003163677.tif 000004
【図２】
0003163677.tif 000005
【図３】
0003163677.tif 000006
【図４】
0003163677.tif 000007
【図５】
0003163677.tif 000008
【図６】
0003163677.tif 000009